(57)【特許請求の範囲】
【請求項１】
ケースと、
前記ケースの表面に設けられた凹部と、
前記凹部に収容され、頂部が前記凹部の縁部よりも低い位置に配置されたレンズと、
前記ケースの表面の一部を覆う取付開始位置から、前記ケースの表面の全部を覆う取付完了位置まで、前記ケースに対して相対的に摺動することにより前記ケースに取り付けられるカバーと、
前記カバーにおける前記ケース側に設けられ、前記取付開始位置において前記レンズに対向する係合突起と、
前記ケースの前記表面に設けられ、前記カバーが前記取付完了位置に摺動したときに前記係合突起が挿入される係合孔部と、
前記係合突起の近傍に設けられ、前記係合突起の先端位置よりも前記ケースに向かって突出する当接部と、を備える電子機器。
【請求項２】
請求項１に記載の電子機器において、
前記当接部が前記係合突起を挟んで一対設けられている電子機器。
【請求項３】
請求項１または請求項２に記載の電子機器において、
前記ケースの前記表面に枠状のリブを形成することにより前記凹部が設けられ、
前記リブの先端位置が前記レンズの前記カバー側の端面よりも、前記カバー側に突出している電子機器。
【請求項４】
請求項１ないし請求項３のうちのいずれか１項に記載の電子機器において、
前記ケースに収容されたスピーカと、
前記レンズの位置に対応して前記カバーの外側に突設された筒部と、
前記筒部の側部に設けられ、前記カバーの内外を連通し、前記スピーカからの音を放音する音孔と、を備える電子機器。
【請求項５】
請求項４に記載の電子機器において、
前記取付完了位置において前記筒部の側面に設けられた音孔を囲むことにより、前記スピーカのからの音を前記ケースの外へ放音する音孔、および、前記筒部の側面に設けられた音孔間を略筒状の連通路とする音孔壁部を備える電子機器。
【請求項６】
請求項４または請求項５に記載の電子機器において、
前記筒部の側面に設けられた音孔に、当該音孔を横断する桟が設けられている電子機器。
【請求項７】
請求項１ないし請求項６のうちのいずれか１項に記載の電子機器において、
前記ケースの前記表面に設けられ、前記表面から突出するフラッシュライトと、
前記カバーに設けられ、前記取付開始位置から前記取付完了位置まで前記フラッシュライトを収容するライト孔と、を備え、
前記フラッシュライトが、
前記ライト孔よりも大きなベース層と、
前記ベース層に積層され、前記カバーが前記取付開始位置にあるときに前記カバーに隠蔽されるとともに前記取付完了位置にあるときに露出する中間層と、
前記中間層に積層され、前記カバーが前記取付開始位置および前記取付完了位置にあるときに前記ライト孔から露出する発光層と、を有する電子機器。
【発明の詳細な説明】
【技術分野】
【０００１】
本発明は、カメラ付きの携帯電話等の電子機器に関するものである。
【背景技術】
【０００２】
従来より、カメラ付きの携帯電話において、カメラのレンズを覆うレンズカバーがレンズに対して相対的にスライドするものがある（例えば、特許文献１参照）。
図１６に示すように、特許文献１に記載の携帯電話１００では、リアケース部１０１に、カメラのレンズユニット１０２が設けられており、リアケース部１０１の裏面に設けられたスライド領域１０４に、レンズユニット１０２を開放および遮蔽自在に覆うレンズカバー１０３がスライド可能に設けられている。スライド領域１０４には、スライド移動方向Ｐに沿った凹溝を有する擦れ傷緩和部１０５が設けられている。
これにより、レンズカバー１０３との擦れ合いによりスライド領域１０４にスライド移動方向Ｐに沿った擦り傷がついたとしても、スライド移動方向Ｐに沿った微細な凹溝により擦り傷が目立たないようになっている。
【先行技術文献】
【特許文献】
【０００３】
【特許文献１】特開２００７−２９８７８５号公報（第１図）
【発明の概要】
【発明が解決しようとする課題】
【０００４】
ここで、カメラが搭載されている面の美観を確保するために、カメラ部を覆うカバーと電池カバーとが一体化されている場合を考える。この場合、カバーを爪により係止するとともに爪の弾性変形により開ける場合に比して、スライドにより開閉するのが耐久性の面から好ましい。すなわち、カバーをスライドさせず爪を係合させる場合は、カバーの取り外し時に、カバーをケースから反らせるような形で取り外さざるを得ず、カバーが割れたり、爪が折れたりする虞があった。
しかし、このようにカバーを大型化する場合には、他の部分よりも突出し易いカメラ部分が、カバーのソリや変形の影響で浮きやすいため、その対策としてカメラ部分周辺のカバーを爪等で固定するのが好ましい。しかし、この場合、上述のようにスライドによって開閉するよう構成すると、固定用の爪により、カメラのレンズ部分を擦って傷付けるおそれがあるという問題があった。
【０００５】
本発明は、従来の問題を解決するためになされたもので、スライド式のカバーの浮き上がりを防止する爪によりカメラのレンズ部を傷つけるのを防止できる電子機器を提供することを目的とする。
【課題を解決するための手段】
【０００６】
本発明の第１の態様に係る電子機器は、ケースと、前記ケースの表面に設けられた凹部と、前記凹部に収容され、頂部が前記凹部の縁部よりも低い位置に配置されたレンズと、前記ケースの表面の一部を覆う取付開始位置から、前記ケースの表面の全部を覆う取付完了位置まで、前記ケースに対して相対的に摺動することにより前記ケースに取り付けられるカバーと、前記カバーにおける前記ケース側に設けられ、前記取付開始位置において前記レンズに対向する係合突起と、前記ケースの前記表面に設けられ、前記カバーが前記取付完了位置に摺動したときに前記係合突起が挿入される係合孔部と、前記係合突起の近傍に設けられ、前記係合突起の先端位置よりも前記ケースに向かって突出する当接部と、を備えるものである。
【０００７】
また、本発明の第２の態様に係る電子機器は、前記当接部が前記係合突起を挟んで一対設けられているものである。
【０００８】
また、本発明の第３の態様に係る電子機器は、前記ケースの前記表面に枠状のリブを形成することにより前記凹部が設けられ、前記リブの先端位置が前記レンズの前記カバー側の端面よりも、前記カバー側に突出しているものである。
【０００９】
また、本発明の第４の態様に係る電子機器は、前記ケースに収容されたスピーカと、前記レンズの位置に対応して前記カバーの外側に突設された筒部と、前記筒部の側部に設けられ、前記カバーの内外を連通し、前記スピーカからの音を放音する音孔と、を備えるものである。
【００１０】
また、本発明の第５の態様に係る電子機器は、前記取付完了位置において前記筒部の側面に設けられた音孔を囲むことにより、前記スピーカのからの音を前記ケースの外へ放音する音孔、および、前記筒部の側面に設けられた音孔間を略筒状の連通路とする音孔壁部を備えるものである。
【００１１】
また、本発明の第６の態様に係る電子機器は、前記筒部の側面に設けられた音孔に、当該音孔を横断する桟が設けられているものである。
【００１２】
さらに、本発明の第７の態様に係る電子機器は、前記ケースの前記表面に設けられ、前記表面から突出するフラッシュライトと、前記カバーに設けられ、前記取付開始位置から前記取付完了位置まで前記フラッシュライトを収容するライト孔と、を備え、前記フラッシュライトが、前記ライト孔よりも大きなベース層と、前記ベース層に積層され、前記カバーが前記取付開始位置にあるときに前記カバーに隠蔽されるとともに前記取付完了位置にあるときに露出する中間層と、前記中間層に積層され、前記カバーが前記取付開始位置および前記取付完了位置にあるときに前記ライト孔から露出する発光層と、を有するものである。
【発明の効果】
【００１３】
本発明は、カバーが取付完了位置に摺動したときに、カバーにおけるケース側の中央部に設けられた係合突起が、ケースの表面に設けられた係合孔部に挿入されるので、カバーの中央部の浮き上がりを防止できる。また、カバーをスライドさせる際に、何らかの力でカバーをケースに押し付けても、当接部が凹部の縁部と当接して、係合突起はカメラレンズに達しないので、カメラレンズを傷つけるのを確実に防止できるという効果を有する電子機器を提供できる。
【図面の簡単な説明】
【００１４】
【図１】（Ａ）は本発明に係る実施形態の携帯端末においてカバーをケースに取り付けた状態を示す全体斜視図であり、（Ｂ）はカバーをスライドさせて取り外す状態を示す全体斜視図
【図２】（Ａ）はカバーをケースに取り付けた状態を示す断面図であり、（Ｂ）はカバーをスライドさせて取り外す状態を示す断面図
【図３】カバーをケースから取り外した状態を示す分解斜視図
【図４】（Ａ）はケースの全体斜視図であり、（Ｂ）はカバーの内面の全体斜視図
【図５】（Ａ）は図３中Ｖ−Ｖ位置の断面であり、（Ｂ）は電池パック保持部材が規制部材により規制された状態を示す断面図
【図６】（Ａ）は電池パックの端面の斜視図であり、（Ｂ）は（Ａ）中Ｂ−Ｂ位置の断面図
【図７】（Ａ）は図４（Ｂ）中ＶＩＩ−ＶＩＩ位置の断面図であり、（Ｂ）は（Ａ）中Ｂ−Ｂ位置の断面図
【図８】（Ａ）は係合突起および当接部とカメラレンズとの関係を示す斜視図であり、（Ｂ）は（Ａ）中Ｂ方向から見た正面図
【図９】スピーカ取付部の断面図
【図１０】フラッシュライトの斜視図
【図１１】（Ａ）はカバーが取付完了位置にある状態を示す斜視図であり、（Ｂ）はカバーが取付開始位置にある状態を示す斜視図
【図１２】（Ａ）はカバーが取付完了位置にある場合のシャッタースイッチを示す斜視図であり、（Ｂ）はカバーが取付開始位置にある場合のシャッタースイッチを示す斜視図であり、（Ｃ）は鍔部材における逃げ部を示す斜視図
【図１３】（Ａ）は図３中ＸＩＩＩ−ＸＩＩＩ位置においてカバーが取付開始位置にある状態の断面図であり、（Ｂ）はカバーが取付完了位置にある状態の断面図であり、（Ｃ）は（Ａ）中Ｃ部分の拡大図
【図１４】（Ａ）は第１突起の側面図であり、（Ｂ）は（Ａ）中Ｂ方向から見た正面図
【図１５】（Ａ）は図３中ＸＶ位置の拡大図であり、（Ｂ）は図４中ＸＶ位置の拡大図
【図１６】従来の電子機器におけるスライド部材支持構造の分解斜視図
【発明を実施するための形態】
【００１５】
以下、本発明に係る実施形態の電子機器について、図面を用いて説明する。
図１に示すように、本発明に係る実施形態の電子機器としての携帯端末１０は、矩形箱状のケース２０と、ケース２０の表面２０１の全面を覆うカバー３０とを有し、カバー３０に設けられているカメラ用開口部３１から、カメラユニット４０が露出している。
なお、ケース２０のカバー３０とは反対側面には、表示板や操作部等を有する表カバー（図示省略）が取り付けられている。
また、以後の説明において、上側とはカバー３０側をいい、下側とはケース２０側をいう。
【００１６】
図２に示すように、ケース２０には、カバー３０側に開口した凹状の電池収容部２１が設けられており、電池パック１１が収容される。カバー３０は、電池収容部２１を覆う蓋部材でもある。
【００１７】
カバー３０をケース２０に取り付ける際には、図１（Ｂ）および図２（Ｂ）に示すように、カバー３０を、電池収容部２１の一部を覆う取付開始位置Ｐ１においてケース２０の表面２０１に載置する。そして、ケース２０に対する厚み方向の相対位置を維持したまま、すなわちケース２０の表面２０１と平行にカバー３０を相対的に後方（図２（Ｂ）矢印Ａ方向）へスライドさせて、電池収容部２１の全部を覆う取付完了位置Ｐ０まで摺動する。これにより、カバー３０は、ケース２０に取り付けられて、カバー２０の全面を覆う。この間のスライド量は、取付開始位置Ｐ１と取付完了位置Ｐ０との間の距離Ｌ１である（図１（Ｂ）参照）。
【００１８】
図３および図４に示すように、電池収容部２１の内面２１１には、電池パック１１の端面１１Ｂに向かって突没可能であって電池パック１１を保持する電池パック保持部材２２が設けられている。
【００１９】
図５（Ａ）に示すように、電池パック保持部材２２は、上方および前方に逆Ｌ字状に突出する電池パック係止爪２２１を有しており、電池パック１１の上面１１Ａを係止する。電池パック係止爪２２１の上面２２２は、電池パック係止爪２２１の基端側から先端側まで電池パック１１の上面１１Ａに向かう下り傾斜面となっている。
また、電池パック保持部材２２は、弾性部材である保持部材用スプリング２３によって、電池パック１１の端面１１Ｂに向かって常時付勢されている。
【００２０】
従って、電池パック１１を電池収容部２１に収容する際には、電池パック１１の端面１１Ｂと反対側端面（図示省略）を電池収容部２１に引っ掛けて、電池パック１１の端面１１Ｂ側で電池パック保持部材２２の電池パック係止爪２２１の上面２２２を押すことにより、上面２２２の傾斜面に沿って電池パック保持部材２２を後退させながら電池パック１１を収容する。
そして、電池パック１１が電池パック係止爪２２１の下側に移動すると、電池パック保持部材２２が保持部材用スプリング２３により押し出されて、電池パック係止爪２２１が電池パック１１の上面１１Ａを係止する。
【００２１】
図４（Ｂ）および図５（Ｂ）に示すように、カバー３０の裏面３０１には、カバー３０が取付完了位置Ｐ０（図２参照）にあるときに、電池パック係止爪２２１に係合する規制部材３２が設けられている。
規制部材３２は、電池パック１１を保持している状態にある電池パック保持部材２２が、電池パック１１から離れる方向（図５（Ｂ）において左側）への移動を規制する。
【００２２】
一方、図６に示すように、電池パック１１の端面１１Ｂには、電池パック１１を収容した際に電池パック保持部材２２の電池パック係止爪２２１に対応する位置に、係止凹部１２が設けられている。
従って、電池パック１１を電池収容部２１から取り外す際に、片手で、容易に電池パック１１を取り外すことができる。
【００２３】
以下、より詳細に説明する。保持部材用スプリング２３によって電池パック１１側に付勢されている電池パック保持部材２２を保持部材用スプリング２３の付勢力に抗して外す方向へ後退させると、電池パック１１の係止凹部１２が露出する。その状態では、電池パック保持部材２２を後退させるために用いた指が、電池パック１１の係止凹部１２付近に存在するのでこの指を係止凹部１２に引っ掛けて、電池パック１１を取り出すことができる。
【００２４】
図２に示すように、ケース２０の表面２０１には、カメラユニット４０を収容する凹部２４（以後、「カメラ凹部２４」という。）が設けられており、カバー３０にはカメラ凹部２４に対向してカメラ用開口部３１（図１参照）が設けられている。カバー３０の表面３０２のカメラ用開口部３１の周囲には、円形の筒部としての枠部材３３が設けられている。
【００２５】
カメラ凹部２４には、縁に沿った縁部として縁リブ２４１が立設されている。
一方、カメラユニット４０はカメラ凹部２４に収容され、カメラユニット４０の先端に位置するカメラレンズ４１の頂部が、縁リブ２４１よりも低く位置するように配置されている（図７（Ａ）参照）。
【００２６】
図７に示すように、カバー３０の裏面３０１におけるカメラ用開口部３１の周囲には、カバー３０の表面３０２側に突出するレンズ移動用凹部３４が設けられている。カメラレンズ４１および縁リブ２４１はレンズ移動用凹部３４の内部に収容されており、カバー３０を図７中上下方向へスライドさせることにより、レンズ移動用凹部３４の内部において相対的に上下方向へ移動する。
【００２７】
レンズ移動用凹部３４は、縁リブ２４１を収容可能な幅を有する長円形状をしており、移動可能代Ｄを有する。なお、レンズ移動用凹部３４は、長円形状でなくともよい。縁リブ２４１を収容可能なスペースが確保できるのであれば、大きな円形状や直線部分を有する形状であっても構わない。
従って、カバー３０を取付開始位置Ｐ１と取付完了位置Ｐ０との間でスライドさせても、カバー３０の枠部材３３のカメラ用開口部３１から見えるカメラレンズ４１は常に真円形状となるので、外観を良好に保つことができる。
【００２８】
図４（Ｂ）および図８（Ａ）に示すように、カバー３０における裏面３０１の中央部には、係合突起３５が設けられている。また、係合突起３５に隣接して、係合突起３５の先端位置よりもケース２０に向かって突出する（図８（Ｂ）参照）当接部３６が設けられている。当接部３６が係合突起３５を挟んで一対設けられている。
なお、ここでは、当接部３６として、Ｌ字形状のリブを設けたが、この他、例えば矩形の平板状とすることもできる。
一方、図４（Ａ）に示すように、ケース２０の表面２０１には、カバー３０が取付完了位置Ｐ０に摺動したときに、係合突起３５が挿入される係合孔部２５が設けられている。
【００２９】
従って、カバー３０をケース２０に取り付ける際に、カバー３０を取付開始位置Ｐ１に位置決めし、カバー３０を取付完了位置Ｐ０に向かってスライドさせると、係合突起３５が係合孔部２５に係合する。このとき、係合突起３５よりも当接部３６がケース２０側に向かって突出しているので、当接部３６が縁リブ２４１の上面に当接しても、係合突起３５はカメラレンズ４１に当接しない。
【００３０】
図９に示すように、ケース２０におけるカメラレンズ４１の近傍に、スピーカ４２が取り付けられている。
図４（Ａ）にも示すように、スピーカ４２の上方に対応するケース２０の表面２０１には、カメラレンズ４１に隣接した位置にスピーカ４２からの音をケース２０の外部に放音する第１音孔４３１が開口している。第１音孔４３１の途中位置には桟４３４が２カ所設けられており、第１音孔４３１を三分割している。
【００３１】
また、図４（Ｂ）にも示すように、カバー３０の内外を連通してカバー３０の外部に放音する第２音孔４３２が、カメラレンズ４１用の枠部材３３のカバー３０に対する取付部に設けられている。第２音孔４３２の途中位置には、第１音孔４３１に対応して桟４３５が２カ所設けられており、第２音孔４３２を三分割している。
さらに、図４（Ａ）に示すように、ケース２０の表面２０１において、第１音孔４３１を囲うように音孔壁部４３３が形成されており、カバー３０が取付完了位置にあるときに、第１音孔４３１から出た音を第２音孔４３２に導く。
【００３２】
図１に示すように、カバー３０の表面３０２には、カメラユニット４０で撮影する際に用いられるフラッシュライト４４が露出している。
図３に示すように、フラッシュライト４４はケース２０の表面２０１に取り付けられており、カバー３０において対応する位置には、長円形状をしたライト孔４５が設けられている。
【００３３】
図１０に示すように、フラッシュライト４４は、ライト孔４５よりも大きな例えば矩形板状のベース層４４１と、このベース層４４１に積層された長円形状の中間層４４２と、この中間層４４２に積層され光を発する発光層４４３を有する。
【００３４】
ベース層４４１は、例えば上面を銀色等の光を反射する色で形成し、反射板となるものが望ましい。なお、発光体４４４（図１１参照）の上方に対向する位置には、円形の開口部が設けられており、発光体４４４の光を外部に照射する。
中間層４４２は、例えば透明な樹脂製であり、カバー３０が取付開始位置Ｐ１にあるときにはカバー３０に隠蔽されるとともに、カバー３０が取付完了位置Ｐ０にある使用時には露出する。
発光層４４３は、中間層４４２と一体的に透明な樹脂で形成され、表面を波板状に形成して、発光体４４４からの光を所定の範囲に拡散する。
【００３５】
従って、図１１（Ｂ）に示すように、カバー３０が取付開始位置Ｐ１にある場合には、ライト孔４５からベース層４４１の一部が露出して、中間層４４２はカバー３０の下に隠れる。
一方、図１１（Ａ）に示すように、カバー３０が取付完了位置Ｐ０にある使用時には、ベース層４４１はライト孔４５に露出しないで、中間層４４２の一部がライト孔４５から露出する。
【００３６】
図１および図１２に示すように、カメラユニット４０を作動させ、フラッシュライト４４を発光させるためのシャッタースイッチ４６が、ケース２０の側面２０２に設けられている。
ケース２０の側面２０２には長円形状の鍔部材４７が設けられており、鍔部材４７の内部でシャッタースイッチ４６が押圧可能に設けられている。
一方、図３に示すように、カバー３０の側面３０３には、鍔部材４７の形状に対応して縁部３７１が設けられており、縁部３７１の内側にはシャッタースイッチ用切欠３７が設けられている。
【００３７】
シャッタースイッチ用切欠３７は、鍔部材４７の形状に対応して、長円形状をほぼ半分にした形状をしており、図１２（Ａ）に示すように、カバー３０が取付完了位置Ｐ０にある場合には露出しない。
一方、図１２（Ｂ）に示すように、カバー３０が取付開始位置Ｐ１にある場合には、シャッタースイッチ用切欠３７は鍔部材４７の外側に露出する。
【００３８】
図１２（Ｃ）に示すように、鍔部材４７は、ケース２０の側面２０２に露出する表装材４７１と、表装材４７１の後方に一体的に設けられてケース２０の側面２０２に取り付けるための筒状部材４７２を有する。筒状部材４７２におけるカバー３０取付方向側端部（図１２（Ｃ）において右側）には、筒状部材４７２の外周面が表装材４７１の内側（図１２（Ｃ）において左側）に凹んだ逃げ部４７３が設けられている。
【００３９】
この逃げ部４７３には、取付開始位置Ｐ１にあるカバー３０の縁部３７１が侵入可能となっているので、カバー３０を取り付ける際に、縁部３７１が筒状部材４７２と干渉するのを回避している。
【００４０】
図４（Ａ）に示すように、電池収容部２１の端部側には、ケース２０の表面２０１から突没可能な第１突起２６が設けられている。
一方、図４（Ｂ）に示すように、カバー３０の裏面３０１には、カバー３０が取付開始位置Ｐ１と前記取付完了位置Ｐ０との間を摺動するときに、第１突起２６を沈ませながら通過する第２突起３８が設けられている。
【００４１】
図１３に示すように、第１突起２６は、ケース２０に設けられている第１突起ガイド部２７の内部に、上下移動可能に保持されており、弾性部材である第１突起用スプリング２７１により上方に付勢されている。
【００４２】
図１４に示すように、第１突起２６は、第１突起用スプリング２７１が巻装される柱部２６１と、柱部２６１の頂部に設けられている平板状のベース部２６２と、ベース部２６２の上に設けられた山型の突起部２６３を有する。
【００４３】
突起部２６３は、カバー３０が取付開始位置Ｐ１から取付完了位置Ｐ０に摺動するとき、すなわち取付け方向（図１３（Ａ）参照）に摺動するときに、第２突起３８が接触する第１取付け傾斜面２６４と、カバー３０が取付完了位置Ｐ０から取付開始位置Ｐ１に摺動するとき、すなわち取外し方向（図１３（Ｂ）参照）に摺動するときに第２突起３８が接触する第１取外し傾斜面２６５とを有する。
【００４４】
一方、図１３（Ｃ）に示すように、第２突起３８においては、第１突起２６の第１取付け傾斜面２６４および第１取外し傾斜面２６５に対してそれぞれ面摺接可能な第２取付け傾斜面３８１および第２取外し傾斜面３８２を有する。
【００４５】
図１４（Ａ）に示すように、第１取付け傾斜面２６４のカバー３０の摺動方向に対する傾斜角度θ１は、第１取外し傾斜面２６５の傾斜角度θ２よりも緩やかな傾斜角度とするのが望ましい。例えば、θ１＝５５度、θ２＝７０度程度にすることができる。
これにより、カバー３０の取付時には容易にカバー３０をスライドでき、カバー３０の取外しの際には、取付時に比して力がいるので、不用意にカバー３０が外れるのを防止できる。
【００４６】
なお、第２突起３８についても、第２取付け傾斜面３８１の傾斜角度を、第２取外し傾斜面３８２の傾斜角度よりも緩やかな傾斜角度とするのが望ましい。
なお、傾斜面の角度が急峻なほど、カバー３０のスライド時に第１突起用スプリング２７を押圧する方向への分力が小さくなるため、ライドに要する力が大きくなり、かつ、スライドによって第１突起２８が削れ易くなる。一方、角度が平坦なほど、スライドに要する力が小さくなり、かつ、第１突起２８が削れにくくなる。
そのため、第１突起用スプリング２７の付勢力が強い場合には角度を平坦に、付勢力が弱い場合には角度を急峻にすることが望ましい。
【００４７】
図４（Ｂ）に示すように、カバー３０の裏面３０１の端部に舌部３９を設け、図４（Ａ）に示すように、ケース２０の表面２０１において第１突起２６に隣接した位置に、カバー３０が取付完了位置Ｐ０にあるときに舌部３９が挿入される舌挿入部２８が設けられている。
これにより、カバー３０が取付完了位置Ｐ０にあるときに、第１突起用スプリング２７１により上方へ付勢されている第１突起２６が、第２突起３８を介して、カバー３０を押し上げるのを防止する。
【００４８】
なお、舌部３９と舌挿入部２８との配置はこれに限られるものではなく、第１突起２６の周辺に配置され、かつ、第１突起２６が第２突起３８に接触するよりも前に、舌部３９が舌挿入部２８に挿入される位置に配置されていれば、どのような位置に配置されていても構わない。
また、舌部３９と舌挿入部２８との組も２組には限られず、１組であってもよいし、３組以上あってもよい。
【００４９】
図１５（Ａ）および（Ｂ）に示すように、カバー３０においてケース２０に対する摺動方向に沿って設けられたカバー側壁３０４には、ケース２０側に突出するカバー側壁突起３０５が設けられている（図４（Ｂ）参照）。
また、ケース２０においてカバー側壁３０４と略平行なケース側壁２０３には、カバー３０側に突出するケース側壁突起２０４が設けられている（図３および図４（Ａ）参照）。
【００５０】
また、図１５（Ａ）に示すように、ケース側壁２０３には、カバー側壁３０４に向かって突出する規制突起２０５が設けられている。このカバー側の規制突起２０５は、ケース２０側の規制突起３０６に対応する位置に設けられており、カバー側壁突起３０５とケース側壁突起２０４との当接が崩れてしまうことを防止している。後述するとおり、カバー側壁突起３０５とケース側壁突起２０４とは、互いに当接することによって、幅方向（本実施形態では、ケース２０の幅方向）のがたつきを防止している。そのため、カバー側壁突起３０５とケース側壁突起２０４とのスライド方向の位置がずれてしまい、互いに当接しなくなってしまうと、ケース２０の幅方向のがたつきが防止できなくなってしまう。そこで、規制突起２０５と規制突起３０６とによって、カバー側壁突起３０５とケース側壁突起２０４とのスライド方向の距離を、一定の距離以下になるよう制限している。
【００５１】
なお、規制突起２０５と規制突起３０６とはカバー３０がケース２０に取り付けられた状態で当接している必要はなく、図１５（Ａ）のとおり、間に微少な空間が設けられていてもよい。また、図１５（Ａ）のとおり、規制突起２０５および規制突起３０６は、それぞれ、カバー３０およびケース２０の近傍まで突出しているため、カバー側壁突起３０５およびケース側壁突起２０４と同様、これらの規制突起にもケース２０の幅方向の位置を規制する効果がある。
なお、規制突起２０５の突出寸法は、ケース側壁突起２０４の突出寸法よりも小さく設定する。これにより、規制突起２０５がカバー側壁突起３０５に当接して，カバー３０のスライドを停止させるのを防止できる。
【００５２】
なお、スライド時の突起の磨耗を抑制するためには、カバー側壁突起３０５およびケース側壁突起２０４のうちの少なくとも一方が凸状の曲面を有するのが望ましい。
なお、図１５においては、カバー側壁突起３０５およびケース側壁突起２０４の形状を半円断面としている。
【００５３】
従って、カバー３０が取付開始位置Ｐ１と取付完了位置Ｐ０との間を摺動するときに、カバー側壁突起３０５と、ケース側壁突起２０４とが互いに摺接しながら乗り越えて移動する。
なお、第１突起２６の耐摩耗性が、カバー側壁突起３０５の耐摩耗性よりも高いものとするのが望ましい。これは、第１突起２６が筐体の厚み方向のスペースを要するため、筐体内部の回路基板等と干渉しないよう、配置できる数および位置が限定されるのに対し、カバー側壁突起３０５は、これらの制約が薄く、磨耗に備えて複数の突起を配置したりすることが容易であるためである。
【００５４】
以上、説明した本発明に係る実施形態の携帯端末１０によれば、電池パック１１を電池収容部２１に収容し、カバー３０を取付開始位置Ｐ１から取付完了位置Ｐ０までスライドさせることによりカバー３０で電池収容部２１を覆うと、カバー３０の裏面３０１に設けられている規制部材３２が、電池パック１１の上面を係止することにより電池パック１１を保持している電池パック保持部材２２の電池パック係止爪２２１に係合するので、電池パック係止爪２２１が外れる方向への電池パック保持部材２２の移動を規制し、電池パック１１が電池収容部２１から脱落するのを，確実に防止できる。
【００５５】
また、カバー３０を取付開始位置Ｐ１へ摺動すると、規制部材３２も移動して電池パック係止爪２２１との係合を解くので、電池パック保持部材２２の電池パック係止爪２２１が外れる方向への移動が可能となり、カバー３０を外して電池パック１１を容易に取り出すことができる。
また、規制部材３２と電池パック係止爪２２１との係合が不十分な場合には、カバー３０が適正に取り付けられないので、電池パック１１の取付けが不十分であると容易に発見できる。
【００５６】
また、電池パック保持部材２２は保持部材用スプリング２３により、電池パック１１の端面に向かって付勢されているので、電池パック１１を収容すると電池パック保持部材２２は電池パック１１方向へ押し出される。これにより、電池パック１１を確実に保持することができる。
【００５７】
また、電池パック係止爪２２１の上面２２２に、基端側から先端側まで電池パック１１の上面１１Ａに向かう下り傾斜面が設けられているので、電池パック１１を電池収容部２１に押し込むことにより電池パック係止爪２２１が後退する。このため、容易に電池パック１１を電池収容部２１に収容できる。
【００５８】
さらに、電池パック１１の端面１１Ｂにおいて電池パック係止爪２２１に対応する位置には係止凹部１２が設けられているので、電池パック１１を取り出す際に、電池パック係止爪２２１を後退させるとともに係止凹部１２に指を掛けて、容易に取り出すことができる。
なお、上述した実施形態では、係止凹部１２の近傍に凸部を設けているが、これも同様の目的を達成するためのものである。また、係止凹部１２を設けず、凸部のみを設けたり、凸部を設けず係止凹部１２のみを設けるとしても良い。すなわち、係止凹部は、必ずしも電池パックの他の面全体から見て凹んでいる必要はなく、相対的に凹んでいれば十分である。近傍に凸部があれば相対的に指を掛けられる係止凹部が存在することとなるため、本明細書では、指掛けを行う部分の近傍に凸部のみを設けることも、係止凹部を設ける一手段であると見做す。
【００５９】
また、本発明に係る実施形態の携帯端末１０によれば、カバー３０が取付完了位置Ｐ０に摺動したときに、カバー３０におけるケース２０側の中央部に設けられた係合突起３５が、ケース２０の表面２０１に設けられた係合孔部２５に挿入されるので、カバー３０の中央部の浮き上がりを防止できる。
また、カメラレンズ４１は、頂部がケース２０の表面２０１に設けられたカメラ凹部２４の縁リブ２４１よりも低い位置となるように配置されており、カバー３０の係合突起３５に隣接して設けられた当接部３６が、係合突起３５の先端位置よりもケース２０に向かって突出している。このため、カバー３０をスライドさせる際に、何らかの力でカバー３０をケース２０に押し付けても、当接部３６がカメラ凹部２４の縁リブ２４１と当接して、係合突起３５はカメラレンズ４１に達しないので、カメラレンズ４１を傷つけるのを確実に防止できる。
【００６０】
また、当接部３６は、係合突起３５を挟んで一対設けられているので、カバー３０をケース２０側に押し付ける力が作用すると、当接部３６が縁リブ２４１に当接し、係合突起３５がカメラレンズ４１に当接して傷つけるのを確実に防止できる。
【００６１】
また、カメラレンズ４１を収容するカメラ凹部２４は、ケース２０の表面２０１に設けられている枠状のリブである縁リブ２４１により形成されており、縁リブ２４１の先端位置がカメラレンズ４１のカバー３０側の端面よりもカバー３０側に突出して配置されているので、係合突起３５をカメラレンズ４１に近付けると当接部３６が縁リブ２４１の先端面に接触する。このため、係合突起３５がカメラレンズ４１に当接して傷つけるのを確実に防止できる。
【００６２】
また、ケース２０に収容されたスピーカ４２からの音を、カバー３０の内外を連通する第２音孔４３２を通して筐体外へ放音するので、カバー３０の外側正面から音孔が見えず，外観を損ねない。
なお、第２音孔４３２は、ケース２０に対するカバー３０の取付け形態に依存せずに設けることができる。
【００６３】
また、ケース２０に対してカバー３０を取付完了位置Ｐ０に取り付けた状態で、第１音孔４３１と第２音孔４３２との間に略筒状の連通路を形成する音孔壁部４３３を設けたので、音圧の劣化や音抜けを防止できる。
【００６４】
また、第２音孔４３２に音孔を横断する桟４３５を設けたので、音孔部分の強度を確保できる。
なお、第２音孔４３２はカバー３０から突出しているため、カバー３０の取り外し時に指が第２音孔４３２に挿入され、第２音孔４３２に無理な力がかかり破損する虞がある。そのため、桟４３５を設けることで、指が第２音孔４３２の奥に入り込むことを防ぐことも可能となる。
【００６５】
さらに、ケース２０の表面２０１に設けられ、表面２０１から突出するフラッシュライト４４は、取付開始位置Ｐ１から取付完了位置Ｐ０までカバー３０に設けられたライト孔４５に収容される。フラッシュライト４４は、ベース層４４１と、ベース層４４１に積層される中間層４４２と、中間層４４２に積層される発光層４４３とを有する。ベース層４４１は、ライト孔４５よりも大きい。中間層４４２は、カバー３０が取付開始位置Ｐ１にあるときにカバー３０に隠蔽されるとともに、取付完了位置Ｐ０にあるときに露出する。また、発光層４４３は、カバー３０が取付開始位置Ｐ１および取付完了位置Ｐ０にあるときにライト孔４５から露出する。このため、カバー３０が取付完了位置Ｐ０にある状態では、発光層４４３とともに中間層４４２がライト孔４５から露出する。中間層４４２はベース層４４１よりも突出しているため、ベース層４４１が直接視認される場合と比べ、発光層４４３と露出している部分との段差の違和感が低減できる。
【００６６】
また、本発明に係る実施形態の携帯端末１０によれば、ケース２０の所定領域を覆うカバー３０は、所定領域の一部を覆う取付開始位置Ｐ１から、所定領域の全部を覆う取付完了位置Ｐ０まで、ケース２０に対して相対的に摺動することにより、ケース２０に取り付けられる。ケース２０には、表面２０１から第１突起用スプリング２７１を介して突没可能な第１突起２６が設けられており、カバー３０の裏面３０１には、カバー３０が取付開始位置Ｐ１と取付完了位置Ｐ０との間を摺動するときに第１突起２６を沈ませながら通過する第２突起３８が設けられている。
従って、カバー３０を繰り返しスライドすることにより、第１突起２６は第２突起３８に接触して上下に繰り返し移動するが、第１突起２６は第１突起用スプリング２７１の弾性力により上下移動するため、樹脂の劣化を伴わず、十分な保持力を長期間維持できる。
【００６７】
また、カバー３０を取付開始位置Ｐ１から取付完了位置Ｐ０にスライドさせて取り付ける際に、第１突起２６は第２突起３８に接触するが、このとき、第１突起２６に設けられている第１取付け傾斜面２６４に沿って第２突起３８が移動するので、第１突起２６をスムーズに押し下げることができる。
また、カバー３０を取付完了位置Ｐ０から取付開始位置Ｐ１にスライドさせて取り外す際に、第１突起２６は第２突起３８に接触するが、このとき、第１突起２６に設けられている第１取外し傾斜面２６５に沿って第２突起３８が移動するので、第１突起２６をスムーズに押し下げることができ、接触部の摩耗を低減できる。
【００６８】
また、第１突起２６に設けられている第１取付け傾斜面２６４および第１取外し傾斜面２６５に沿って相対的に摺動することにより第１突起２６を押し下げる第２突起３８に、第２取付け傾斜面３８１および第２取外し傾斜面３８２を設けたので、第１突起２６をスムーズに押し下げることができ、接触部の摩耗を低減できる。
【００６９】
また、カバー３０に設けられている第１突起２６において、カバー３０を取り付ける際に第２突起３８に接触する第１取付け傾斜面２６４の傾斜角度θ１が、カバー３０を取り外す際に第２突起３８に接触する第１取外し傾斜面２６５の傾斜角度θ２よりも緩やかなので、カバー３０を取り付ける際にはスムーズに取り付けることができ、且つカバー３０は不用意に外れない。
【００７０】
また、カバー３０のスライド時に、第１突起２６と第２突起３８とが接触する前に、カバー３０の裏面に設けられた舌部３９が、第１突起２６の近傍に設けられた舌挿入部２８に挿入されるので、第１突起２６をカバー３０側に押し上げている第１突起用スプリング２７１の弾性力によってカバー３０が押し上げられるのを防止できる。
【００７１】
また、ケース２０に対する摺動方向に沿ってカバー３０に設けられカバー側壁３０４と、カバー側壁３０４と略平行にケース２０に設けられたケース側壁２０３との協働により、カバー３０は取付開始位置Ｐ１と取付完了位置Ｐ０との間でケース２０に対して相対的にスライド可能となる。カバー側壁３０４にはカバー側壁突起３０５が設けられ、ケース側壁２０３にはケース側壁突起２０４が設けられており、カバー３０もしくはケース２０の平面方向の移動を規制する。そのため、スライド方向と異なる方向（例えば、ケース２０の幅方向）等、第１突起２６および第２突起３８のみでは十分に位置規制を行うことが難しい方向についても、カバー３０とケース２０とがずれてしまうことを防ぐことができる。なお、上述した実施形態では、カバー側壁３０４とケース側壁２０３の両方に突起を設けているが、いずれか一方にのみ突起を設けるとしてもよい。
【００７２】
また、カバー側壁突起３０５とケース側壁突起２０４とは、スライド時に互いに摺接しながら乗り越えることで、スライド方向への位置規制も行うことができる。
なお、カバー側壁突起３０５とケース側壁突起２０４とは、摺接によって磨耗する虞があるが、第１突起用スプリング２７１により機械的にケース２０側に付勢されている第１突起２６の耐摩耗性を、樹脂製のカバー側壁突起３０５およびケース側壁突起２０４の耐摩耗性よりも高くしておけば、樹脂製のカバー側壁突起３０５およびケース側壁突起２０４が磨耗しても、第１突起２６および第２突起３８によってスライド方向への位置規制を行うことができ、使用感の変化を感じにくくすることが出来る。
【００７３】
また、カバー側壁突起３０５およびケース側壁突起２０４のうちの少なくとも一方が凸状の曲面を有するので、直線的な部分を有する突起を用いる場合と比べ、摺接時にカバー側突起３０５およびケース側突起２０４の磨耗を抑制することができる。
【００７４】
さらに、カバー側壁３０４の内面およびケース側壁２０３のうちの少なくとも一方であるケース側壁２０３に、他方に向かって突出する規制突起２０５を設けたので、カバー側壁突起３０５とケース側壁突起２０４との間のスライド方向の距離を一定の距離以下に制限することができ、カバー側壁突起３０５とケース側壁突起２０４とが互いに離れてしまうことによってスライド方向と異なる方向へのずれが発生してしまうことを防止することができる。
【００７５】
（その他変形例）
以上、実施形態に基づいて本発明に係る電子機器を説明した。しかし、本発明は上述した実施形態に限られるものではない。
上述した実施形態では、第１突起２６および第２突起３８を１組設けていたがこれに限られるものではない。複数組設けるとしてもよい。
【００７６】
また、上述した実施形態では、カバー側壁突起３０５およびケース側壁突起２０４は、カバー３０とケース２０とのスライドに伴って互いに乗り越えるものとしたが、これに限られるものではない。乗り越えず、互いに当接するのみであっても構わない。この場合、スライド方向の位置規制を行う効果は薄れるが、これらの側壁突起がなくとも、第１突起２６および第２突起３８とが接することによってスライド方向の位置規制を行うことが可能である。ただし、第１突起２６は比較的容易に上下動するように構成されているので、側壁突起も用いて位置規制を行うことが望ましい。
【００７７】
また、上述した実施形態では、スライド方向と異なる方向の位置規制は、カバー側壁突起３０５およびケース側壁突起２０４によって行っていたが、これに限られるものではない。例えば、第１突起２６の周辺に、第２突起３８の平面方向の形状と略同一の壁を設けることで、第２突起３８の、スライド方向と異なる方向への可動範囲を規制するとしてもよい。
このような構成にすれば、第２突起３８を介してスライド方向と異なる方向の位置規制も行うことが可能となる。
【００７８】
また、上述した実施形態では、縁リブ２４１は、カメラレンズ４１の全周を囲っていたが、これに限られるものではない。カメラレンズ４１の一部のみを囲む構造であってもよい。すなわち、縁リブ２４１は、スライド時に当接部３６が当接しうる範囲だけ囲んでいれば十分であるので、他の部分を囲まないものとしてもよい。
【００７９】
また、上述した実施形態では、係合突起３５は、カバー３０の略中央部に設けられていたがこれに限られるものではない。他の部分に設けられているとしてもよいし、複数の箇所に設けられているとしてもよい。ただし、より少ない突起で確実にカバー３０の浮きを押さえるためには略中央部に配置されていることが望ましい。
【００８０】
また、上述した実施形態では、カバー３０とケース２０とは厚み方向の相対位置を維持したままスライドしていたが、これに限られるものではない。例えば、カバー３０とケース２０とを厚み方向において斜めにスライドさせる等、スライド時に両者の相対位置が変化する構成であっても構わない。
【００８１】
また、上述した実施形態では、第１音孔４３１に対して桟４３５が設けられていたが、これに限られるものではない。第１音孔４３１には桟を設けないものとしてもよい。ただし、第２音孔４３２に桟を設ける場合は、それに対応する桟を第１音孔４３１にも設けた方が音のゆがみ等を抑制することができる。
【００８２】
また、本発明の適用対象は携帯端末には限られない。適宜、他の電子機器に適用するとしてもよい。
なお、本発明の電子機器は、前述した実施形態に限定されるものでなく、適宜な変形，改良等が可能である。
【符号の説明】
【００８３】
１０  携帯端末（電子機器）
２０  ケース
２０１  表面
２４  カメラ凹部（凹部）
２４１  縁リブ（縁部，リブ）
２５  係合孔部
３０  カバー
３３  枠部材（筒部）
３５  係合突起
３６  当接部
４１  カメラレンズ
４２  スピーカ
４３１  第１音孔
４３２  第２音孔
４３３  音孔壁部
４３４，４３５  桟
４４  フラッシュライト
４４１  ベース層
４４２  中間層
４４３  発光層
４５  ライト孔
Ｐ０  取付完了位置
Ｐ１  取付開始位置
【図１】
0005116823.tif 000002
【図２】
0005116823.tif 000003
【図３】
0005116823.tif 000004
【図４】
0005116823.tif 000005
【図５】
0005116823.tif 000006
【図６】
0005116823.tif 000007
【図７】
0005116823.tif 000008
【図８】
0005116823.tif 000009
【図９】
0005116823.tif 000010
【図１０】
0005116823.tif 000011
【図１１】
0005116823.tif 000012
【図１２】
0005116823.tif 000013
【図１３】
0005116823.tif 000014
【図１４】
0005116823.tif 000015
【図１５】
0005116823.tif 000016
【図１６】
0005116823.tif 000017